(57)【要約】【課題】ＲＦＩＤタグを用いて、より簡単な作業で廃棄物の重量に関する情報の収集・管理を効率的かつ確実におこなうこと。【解決手段】ＲＦＩＤタグ１５３が貼付され廃棄物１５２が格納された廃棄物容器１５１が廃棄物収集場１１２に廃棄される（１）。廃棄物容器１５１が廃棄物収集車１３０の廃棄物投入口付近に設けられた計量装置１２２に載置される（２）。ＲＦＩＤタグ１５３から廃棄物情報が読み取られる（３）。廃棄物情報がサーバ１２１に送信される（４）。計量装置１２２によって、廃棄物１５２の重量が計量される（５）。計量情報がサーバ１２１に送信される（６）。廃棄物１５２の排出量に基づいた各種情報を排出者１４０が保有する情報端末１６０に対して送信する（７）。【選択図】図１
2008041055.tif 000002
【特許請求の範囲】
【請求項１】
所定の排出者によって排出され、廃棄物収集作業員によって廃棄物収集車両に収集される廃棄物の重量に関する情報を管理する廃棄物収集管理装置であって、
前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する取得手段と、
前記廃棄物が収集されるときに、前記廃棄物に対する廃棄物の重量を計量する計量手段と、
前記計量手段によって計量された重量を含む情報を、前記廃棄物に関する情報に関連付けして所定の記録媒体に記録する記録手段と、
を備えたことを特徴とする廃棄物収集管理装置。
【請求項２】
前記廃棄物情報取得手段は、前記廃棄物収集車両の所定の位置であって、前記廃棄物が収集されるときに前記廃棄物に関する情報を取得することが可能な位置に設けられたことを特徴とする請求項１に記載の廃棄物収集管理装置。
【請求項３】
前記計量手段は、前記廃棄物収集車両の所定の位置であって、前記廃棄物が収集されるときに前記廃棄物の重量を計量することが可能な位置に設けられたことを特徴とする請求項１または２に記載の廃棄物収集管理装置。
【請求項４】
前記所定の記録媒体は、前記廃棄物容器に設けられたＲＦＩＤタグであり、前記記録手段は、当該ＲＦＩＤタグに前記計量手段によって計量された重量を含む情報を記録することを特徴とする請求項１〜３のいずれか一つに記載の廃棄物収集管理装置。
【請求項５】
前記記録手段によって前記所定の記録媒体に記録された情報を所定の情報端末へ送信する送信手段をさらに備えたことを特徴とする請求項１〜４のいずれか一つに記載の廃棄物収集管理装置。
【請求項６】
前記記録手段によって前記所定の記録媒体に記録された情報に基づいて、前記排出者によって排出された廃棄物の処分料金を算出する算出手段をさらに備え、
前記送信手段は、当該処分料金に関する情報を前記所定の情報端末へさらに送信することを特徴とする請求項５に記載の廃棄物収集管理装置。
【請求項７】
前記記録手段によって前記所定の記録媒体に記録された情報に基づいて、前記排出者によって排出された廃棄物の収集に関する措置を判定する判定手段をさらに備え、
前記送信手段は、当該措置に関する情報を前記所定の情報端末へさらに送信することを特徴とする請求項５または６に記載の廃棄物収集管理装置。
【請求項８】
前記判定手段は、前記廃棄物の重量に応じた前記廃棄物の処分料金の割引率を判定することを特徴とする請求項７に記載の廃棄物収集管理装置。
【請求項９】
前記記録手段によって前記所定の記録媒体に記録された前記廃棄物の重量に関する情報に基づいて、前記排出者によって排出された廃棄物の重量に関する分析をおこなう分析手段をさらに備え、
前記送信手段は、当該分析手段によっておこなわれた分析の結果に関する情報を前記所定の情報端末へさらに送信することを特徴とする請求項５〜８のいずれか一つに記載の廃棄物収集管理装置。
【請求項１０】
所定の排出者によって排出され、廃棄物収集作業員によって廃棄物収集車両に収集される廃棄物の重量に関する情報を管理する廃棄物収集管理方法であって、
前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する取得工程と、
前記廃棄物が収集されるときに、前記廃棄物に対する廃棄物の重量を計量する計量工程と、
前記計量工程によって計量された重量を含む情報を、前記廃棄物に関する情報に関連付けして所定の記録媒体に記録する記録工程と、
を含んだことを特徴とする廃棄物収集管理方法。
【請求項１１】
請求項１０に記載の廃棄物収集管理方法をコンピュータに実行させることを特徴とする廃棄物収集管理プログラム。
【発明の詳細な説明】
【技術分野】
【０００１】
この発明は、ＲＦＩＤ（Ｒａｄｉｏ  Ｆｒｅｑｕｅｎｃｙ  ＩＤ）タグを用いて、廃棄の対象となる廃棄物の重量の管理をおこなう廃棄物収集管理装置、廃棄物収集管理方法、および廃棄物収集管理プログラムに関する。
【背景技術】
【０００２】
従来、家庭などから排出された廃棄物は、廃棄物の収集、処分およびリサイクルなどを効率的におこなうため自治体などの廃棄物収集者によって廃棄物の種類ごとに分別収集されている。そのため廃棄物の排出者は、廃棄物の種類ごとに廃棄物を分別して排出するように義務付けられている。また自治体においては、廃棄物情報（地域、廃棄物の種類、廃棄物の排出量など）を収集・管理して、収集された廃棄物情報に基づいた効率的な廃棄物の収集、処分およびリサイクルなどをおこなうための計画がおこなわれている。
【０００３】
そこで、たとえば上述した廃棄物情報の収集および管理を効率的かつ確実におこなうため、廃棄物の収集時に、廃棄物に混入されたＩＤタグから廃棄物情報を読み取ることによって廃棄物情報を収集することができる廃棄物収集管理システムが開示されている（たとえば下記特許文献１参照。）。
【０００４】
【特許文献１】特開２００４−１７５５５６号公報
【発明の開示】
【発明が解決しようとする課題】
【０００５】
しかしながら、上記従来技術にあっては、排出者ごとの排出量に関する情報を管理していない。そのため、廃棄物の排出量に関する情報を排出者に通知することができずに、排出者が排出者が自ら排出した廃棄物の排出量を把握したり、排出者にたいして廃棄物の排出量の削減をうながしたりすることが困難であった。そのため、廃棄物の排出量の削減を意識せずに廃棄物を排出する排出者が後をたたず、廃棄物の排出量の圧縮化を図ることができないといった問題が生じていた。
【０００６】
また、上記従来技術にあっては、廃棄物が収集されるとともにＩＤタグが回収されてしまう。そのため、収集された廃棄物から回収したＩＤタグをふたたび排出者に配布するか、または新たなＩＤタグを排出者に配布する必要がある。その結果、ＩＤタグの利用に伴うコスト（たとえば回収費用、購入費用、管理費用、配布費用など）が増加するといった問題が生じていた。
【０００７】
この発明は、上述した従来技術による問題点を解消するため、より簡単な作業により廃棄物の重量に関する情報の収集・管理を効率的かつ確実におこなうことができ、廃棄物の排出量の圧縮化を図ることが可能な廃棄物収集管理装置、廃棄物収集管理方法、および廃棄物収集管理プログラムを提供することを目的とする。
【課題を解決するための手段】
【０００８】
上述した課題を解決し、目的を達成するため、この発明にかかる廃棄物収集管理装置は、所定の排出者によって排出され、廃棄物収集作業員によって廃棄物収集車両に収集される廃棄物の重量に関する情報を管理する廃棄物収集管理装置であって、前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する取得手段と、前記廃棄物が収集されるときに、前記廃棄物に対する廃棄物の重量を計量する計量手段と、前記計量手段によって計量された重量を含む情報を、前記廃棄物に関する情報に関連付けして所定の記録媒体に記録する記録手段と、を備えたことを特徴とする。
【０００９】
また、この発明にかかる廃棄物収集管理装置は、上記に記載の発明において、前記廃棄物情報取得手段は、前記廃棄物収集車両の所定の位置であって、前記廃棄物が収集されるときに前記廃棄物に関する情報を取得することが可能な位置に設けられたことを特徴とする。
【００１０】
また、この発明にかかる廃棄物収集管理装置は、上記に記載の発明において、前記計量手段は、前記廃棄物収集車両の所定の位置であって、前記廃棄物が収集されるときに前記廃棄物の重量を計量することが可能な位置に設けられたことを特徴とする。
【００１１】
また、この発明にかかる廃棄物収集管理装置は、上記に記載の発明において、前記所定の記録媒体は、前記廃棄物容器に設けられたＲＦＩＤタグであり、前記記録手段は、当該ＲＦＩＤタグに前記計量手段によって計量された重量を含む情報を記録することを特徴とする。
【００１２】
また、この発明にかかる廃棄物収集管理装置は、上記に記載の発明において、前記記録手段によって前記所定の記録媒体に記録された情報を所定の情報端末へ送信する送信手段をさらに備えたことを特徴とする。
【００１３】
また、この発明にかかる廃棄物収集管理装置は、上記に記載の発明において、前記記録手段によって前記所定の記録媒体に記録された情報に基づいて、前記排出者によって排出された廃棄物の処分料金を算出する算出手段をさらに備え、前記送信手段は、当該処分料金に関する情報を前記所定の情報端末へさらに送信することを特徴とする。
【００１４】
また、この発明にかかる廃棄物収集管理装置は、上記に記載の発明において、前記記録手段によって前記所定の記録媒体に記録された情報に基づいて、前記排出者によって排出された廃棄物の収集に関する措置を判定する判定手段をさらに備え、前記送信手段は、当該措置に関する情報を前記所定の情報端末へさらに送信することを特徴とする。
【００１５】
また、この発明にかかる廃棄物収集管理装置は、上記に記載の発明において、前記判定手段は、前記廃棄物の重量に応じた前記廃棄物の処分料金の割引率を判定することを特徴とする。
【００１６】
また、この発明にかかる廃棄物収集管理装置は、上記に記載の発明において、前記記録手段によって前記所定の記録媒体に記録された前記廃棄物の重量に関する情報に基づいて、前記排出者によって排出された廃棄物の重量に関する分析をおこなう分析手段をさらに備え、前記送信手段は、当該分析手段によっておこなわれた分析の結果に関する情報を前記所定の情報端末へさらに送信することを特徴とする。
【００１７】
また、この発明にかかる廃棄物収集管理方法は、所定の排出者によって排出され、廃棄物収集作業員によって廃棄物収集車両に収集される廃棄物の重量に関する情報を管理する廃棄物収集管理方法であって、前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する取得工程と、前記廃棄物が収集されるときに、前記廃棄物に対する廃棄物の重量を計量する計量工程と、前記計量工程によって計量された重量を含む情報を、前記廃棄物に関する情報に関連付けして所定の記録媒体に記録する記録工程と、を含んだことを特徴とする。
【００１８】
また、この発明にかかる廃棄物収集管理プログラムは、上記に記載の廃棄物収集管理方法をコンピュータに実行させることを特徴とする。
【発明の効果】
【００１９】
本発明によれば、より簡単な作業により廃棄物の重量に関する情報の収集・管理を効率的かつ確実におこなうことができ、廃棄物の排出量の圧縮化を図ることが可能な廃棄物収集管理装置、廃棄物収集管理方法、および廃棄物収集管理プログラムが得られるという効果を奏する。
【発明を実施するための最良の形態】
【００２０】
以下に添付図面を参照して、この発明にかかる廃棄物収集管理装置、廃棄物収集管理方法、および廃棄物収集管理プログラムの好適な実施の形態を詳細に説明する。
【００２１】
（廃棄物収集管理処理の概要）
まず、この発明の実施の形態にかかる廃棄物収集管理装置、廃棄物収集管理方法、および廃棄物収集管理プログラムの概要について説明する。図１は、この発明の本実施の形態にかかる廃棄物収集管理装置、廃棄物収集管理方法、および廃棄物収集管理プログラムの概要を示す説明図である。
【００２２】
図１において、（１）まず排出者１４０によって、ＲＦＩＤタグ１５３が貼付され廃棄物１５２が格納された廃棄物容器１５１が廃棄物収集場１１２（たとえば戸別の玄関先や、共同の廃棄物収集場所など）に廃棄される。廃棄物容器１５１は、自治体１１０によって廃棄物１５２の種別ごとに指定されている。排出者１４０は、廃棄物１５２の種別ごとに廃棄物１５２を分別して、指定された廃棄物容器１５１に廃棄物１５２を記憶したうえで、廃棄物容器１５１を廃棄物収集場１１２に廃棄するように義務付けられている。
【００２３】
（２）つぎに、廃棄物１５２を収集するために廃棄物収集車１３０で各廃棄物収集場１１２を周回する自治体１１０の作業員１１１によって、廃棄物収集場１１２に廃棄された廃棄物容器１５１が、廃棄物収集車１３０の廃棄物投入口付近に設けられた計量装置１２２に載置される。
【００２４】
（３）つぎに、廃棄物収集車１３０の廃棄物投入口付近に設けられたＲ／Ｗ（ＲＦＩＤタグリーダ／ライタ）１２３によって、廃棄物容器１５１に貼付されているＲＦＩＤタグ１５３から廃棄物に関する情報（たとえば廃棄物容器１５１のＩＤ、排出者１４０の氏名、廃棄物１５２の種別など。以下、「廃棄物情報」という）が読み取られる。（４）つぎに、ＲＦＩＤタグ１５３から読み取られた廃棄物情報が自治体１１０が保有するサーバ１２１に送信される。
【００２５】
（５）つぎに、計量装置１２２によって、計量装置１２２上に載置されている廃棄物容器１５１に格納された廃棄物１５２の重量が計量される。このとき廃棄物１５２そのものの重量を計量するため廃棄物容器１５１の重量に対応する所定の重量が自動的に減量される。（６）つぎに、計量装置１２２によって計量された廃棄物１５２の重量に関する情報（以下、「計量情報」という）が、自治体１１０が保有するサーバ１２１に送信される。この計量情報は、廃棄物情報と関連付けられて、たとえば自治体１１０が保有するデータベースなどに記録される。
【００２６】
（７）そして、自治体１１０は、排出者１４０に対して廃棄物１５２の排出量の減量をうながすため、定期的に、廃棄物１５２の排出量に基づいた各種情報を排出者１４０が保有する情報端末１６０（たとえば携帯電話など）に対して送信する。たとえば廃棄物１５２の処分料金に関する情報、廃棄物１５２の処分料金の割引率に関する情報、廃棄物１５２の排出量に関する分析に関する情報、廃棄物１５２の排出量に関する順位に関する情報などが計量情報として挙げられる。
【００２７】
（全体システムの構成）
つぎに、この発明の実施の形態にかかる廃棄物収集管理装置を含む全体システムの構成について説明する。図２は、この発明の本実施の形態にかかる廃棄物収集管理装置を含む全体システムの構成を示す説明図である。
【００２８】
図２において、廃棄物収集管理システム２００は、自治体１１０が保有する廃棄物収集管理装置１２０および廃棄物収集車１３０と、排出者１４０によって排出された廃棄物１５０と、排出者１４０が保有する情報端末１６０と、によって構成されており、それぞれがネットワーク２０１によって接続されている。
【００２９】
廃棄物収集管理装置１２０は、サーバ１２１と、計量装置１２２と、Ｒ／Ｗ１２３とによって構成されている。サーバ１２１は、Ｒ／Ｗ１２３および計量装置１２２を含めた廃棄物収集管理システム１２０全体の制御を司る。
【００３０】
サーバ１２１は、Ｒ／Ｗ１２３からネットワーク２０１を介して送信された廃棄物１５２の廃棄物情報を受信する。またサーバ１２１は、計量装置１２２からネットワーク２０１を介して送信された計量情報を受信する。またサーバ１２１は、定期的に計量情報および廃棄物１５２の排出量に基づいた各種情報を排出者１４０が保有する情報端末１６０（たとえば携帯電話など）に対して送信する。
【００３１】
計量装置１２２は、廃棄物収集車１３０の廃棄物投入口付近に設けられ、廃棄物容器１５１を載置することができる形状である。また計量装置１２２は、計量装置１２２上に載置された廃棄物容器１５１に記憶されている廃棄物１５２の重量を計量する。また計量装置１２２は、（計量情報）廃棄物１５２の重量に関する情報をネットワーク２０１を介してサーバ１２１へ送信する。
【００３２】
Ｒ／Ｗ１２３は、廃棄物収集車１３０の廃棄物投入口付近に設けられ、廃棄物収集車１３０の廃棄物投入口付近に載置された廃棄物容器１５１に貼付されているＲＦＩＤタグ１５３から、廃棄物情報（たとえば廃棄物容器１５１のＩＤ、排出者１４０の氏名、廃棄物１５２の種別など）を読み取る。またＲ／Ｗ１２３は、ＲＦＩＤタグ１５３から読み取った廃棄物情報をネットワーク２０１を介してサーバ１２１へ送信する。またＲ／Ｗ１２３は、ＲＦＩＤタグ１５３に対して情報を書き込むこともできる。
【００３３】
ここで、Ｒ／Ｗ１２３は、通信距離が約数ｃｍから２ｍであり、無線周波数はたとえば、１３．５６ＭＨｚ（電磁誘導方式）と２．４５ＧＨｚ（マイクロ波方式）である。電磁誘導方式は、Ｒ／Ｗ１２３のコイルに電流を流して発生させた磁界で、無線ＩＣタグが持つコイル状のアンテナに電流を発生させ、ＩＣチップを動かす。マイクロ波方式は、Ｒ／Ｗ１２３のアンテナから発生させた電波を無線ＩＣタグのアンテナで受け取るようにする。
【００３４】
廃棄物１５０は、廃棄物容器１５１と、廃棄物１５２と、ＲＦＩＤタグ１５３と、によって構成されている。
【００３５】
廃棄物容器１５１は、自治体１１０によって廃棄物１５２の種類（たとえば、可燃廃棄物、不燃廃棄物など）ごとに指定され、排出者１４０によって保有される。廃棄物容器１５１には、自治体１１０によってあらかじめ廃棄物情報（たとえば廃棄物容器１５１のＩＤ、排出者１４０の氏名、廃棄物１５２の種別など）が記録されたＲＦＩＤタグ１５３が貼付されている。
【００３６】
廃棄物容器１５１には、排出者１４０によって廃棄物容器１５１に対応する種類（たとえば、可燃廃棄物、不燃廃棄物など）の廃棄物１５２が格納され、廃棄物収集場１１２に廃棄される。廃棄物収集場１１２に廃棄された廃棄物容器１５１は、廃棄物容器１５１に記憶されている廃棄物１５２が作業員１１１の収集作業によって廃棄物収集車１３０に収容された後に排出者１４０に返却される。
【００３７】
廃棄物１５２は、計量装置１２２による計量の対象物である。廃棄物１５２は、たとえば家庭や事業所から排出された廃棄物であり、可燃廃棄物、不燃廃棄物、カン、ビン、ペットボトルなどの種類が挙げられる。これらの廃棄物１５２は、排出者１４０によって廃棄物の種類ごとに分別され、廃棄物の種類ごとに指定された廃棄物容器１５１に記憶され、廃棄物容器１５１とともに廃棄物収集場１１２に廃棄される。
【００３８】
ＲＦＩＤタグ１５３は、自治体１１０によって廃棄物情報（たとえば廃棄物容器１５１のＩＤ、排出者１４０の氏名、廃棄物１５２の種別など）があらかじめ記録されており、廃棄物容器１５１に貼付される。ＲＦＩＤタグ１５３に記録された廃棄物情報は、廃棄物収集車１３０の廃棄物投入口付近に設けられたＲ／Ｗ１２３によって読み取られ、ネットワーク２０１を介してサーバ１２１へ送信される。
【００３９】
ここで、ＲＦＩＤタグ１５３は、たとえば情報を記録する小型のＩＣチップと金属製のアンテナで構成する。ＩＣチップ、はたとえば０．１ミリ〜数ミリ角の大きさである。またＩＣチップは、１０数バイト〜数キロバイトのメモリとロジック回路を備えており、無線通信によってデータの読み取りや書き込みをすることができる。またＩＣチップは、ロジック回路によって、演算、認証、暗号化などの処理をおこなうこともできる。
【００４０】
ＲＦＩＤタグ１５３は、電池を内臓していているものであっても、電池を内蔵していないものであってもよく、電池を内臓していているものであれば、ＲＦＩＤタグ１５３から能動的に情報を発信することができる。またＲＦＩＤタグ１５３には、このＲＦＩＤタグ１５３が貼付される廃棄物１５０や排出者１４０を特定するための固有のＩＤを付与することができる。
【００４１】
情報端末１６０は、排出者１４０が保有する情報端末装置（たとえばネットワーク２０１と接続された携帯電話や、ネットワーク２０１と接続されたパーソナル・コンピュータなど）であり、廃棄物収集管理装置１２０からネットワーク２０１を介して送信された計量情報および廃棄物１５２の排出量に基づいた各種情報を受信して、受信した計量情報および廃棄物１５２の排出量に基づいた各種情報の出力（たとえば画面表示、音声出力など）をおこなう。
【００４２】
（廃棄物収集管理装置１２０のハードウェア構成）
つぎに、本実施の形態にかかる廃棄物収集管理方法を実現する廃棄物収集管理装置１２０のハードウェア構成について説明する。図３は、廃棄物収集管理装置１２０のハードウェア構成の一例を示すブロック図である。
【００４３】
図３において、サーバ１２１は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ＨＤＤ（Ｈａｒｄ  Ｄｉｓｃ  Ｄｒｉｖｅ）３０４と、ＨＤ（Ｈａｒｄ  Ｄｉｓｃ）３０５と、ＦＤＤ（Ｆｌｅｘｉｂｌｅ  Ｄｉｓｃ  Ｄｒｉｖｅ）３０６と、ＦＤ（Ｆｌｅｘｉｂｌｅ  Ｄｉｓｃ）３０７と、ディスプレイ３０８と、Ｉ／Ｆ（インタフェース）３０９と、操作ボタン３１０と、時計３１１と、プリンタ３１２と、計量装置１２２と、Ｒ／Ｗ１２３とを備えて構成されており、上記各構成部はバス３２０によってそれぞれ接続されている。
【００４４】
ＣＰＵ３０１は、サーバ１２１の全体の制御を司る。ＲＯＭ３０２は、各種制御プログラムなどを記憶する。ＲＡＭ３０３は、ＣＰＵ３０１のワークエリアとして使用される。ＨＤＤ３０４はＣＰＵ３０１の制御命令に従って、ＨＤ３０５に対するデータの読み取り／書き込みを制御する。ＨＤ３０５は、ＨＤＤ３０４の制御で書き込まれたデータを記憶する。ＦＤＤ３０６はＣＰＵ３０１の制御命令に従って、ＦＤ３０７に対するデータの読み取り／書き込みの制御をおこなう。
【００４５】
ＦＤ３０７は、ＦＤＤ３０６の制御で書き込まれたデータを記憶する着脱可能な記録媒体である。着脱可能な記録媒体として、ＦＤ３０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリカードなどであってもよい。
【００４６】
ディスプレイ３０８は、テキストデータ、画像データなどの各種情報を表示する。ディスプレイ３０８は、例えばＴＦＴ（Ｔｈｉｎ  Ｆｉｌｍ  Ｔｒａｎｓｉｓｔｏｒ）液晶ディスプレイのほか、ＣＲＴ（Ｃａｔｈｏｄｅ  Ｒａｙ  Ｔｕｂｅ）やプラズマディスプレイなどであってもよい。
【００４７】
Ｉ／Ｆ３０９は、通信回線を通じてネットワーク２０１に接続され、ネットワーク２０１を介して、他の情報処理装置、各種データベースなどに接続される。そして、Ｉ／Ｆ３０９は、ネットワーク２１０と装置内部とのインタフェースを司り、他の情報処理装置、各種データベースなどとのデータの入出力を制御する。Ｉ／Ｆ３０９は、たとえばモデムやＬＡＮアダプタなどである。またＩ／Ｆ３０９は、ＵＳＢなどの外部入出力としても用いることができる。
【００４８】
操作ボタン３１０は、各種データの送受信、入力、設定などに用いる。計量装置１２２は、載置された廃棄物１５２の重量を検出する時計３１１は、現在時刻を計時して、廃棄物１５２の計量がおこなわれた時刻を出力する。プリンタ３１２は、各種情報を印刷する。プリンタ３１２は、例えば、レーザプリンタやインクジェットプリンタなどである。
【００４９】
（廃棄物収集管理装置１２０の機能的構成）
つぎに、本実施の形態にかかる廃棄物収集管理装置１２０の機能的構成について説明する。図４は、この発明の本実施の形態にかかる廃棄物収集管理装置１２０の機能的構成の一例を示すブロック図である。
【００５０】
図４において、廃棄物収集管理装置１２０は、計量部４０１と、取得部４０２と、記録部４０３と、割引率判定部４０４と、算出部４０５と、分析部４０６と、順位判定部４０７と、送信部４０８と、記憶部４１０と、によって構成されている。
【００５１】
図４において、計量部４０１は、廃棄物１５２の重量を計量する。廃棄物１５２は、廃棄物容器１５１に記憶されている状態で計量されるため、計量部４０１は、計量された重量から廃棄物容器１５１そのものの重量を減算することによって、廃棄物１５２の重量を得ることができる。また、計量部４０１は、計量情報（廃棄物１５２の重量に関する情報）を生成する。計量部４０１は、具体的には、たとえば図３に示した計量装置１２２によってその機能を実現する。
【００５２】
取得部４０２は、廃棄物容器１５１に貼付されたＲＦＩＤタグ１５３から廃棄物情報（たとえば廃棄物容器１５１のＩＤ、排出者１４０の氏名、廃棄物１５２の種別など）を取得する。取得部４０２は、具体的には、たとえば図３に示したＲ／Ｗ１２３によってその機能を実現する。
【００５３】
記録部４０３は、計量情報記録データ（計量部４０１によって生成された計量情報と、取得部４０２によって取得された廃棄物情報とをに関連付けすることによって生成されたデータ）を、記憶部４１０に記録する。記録部４０３は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００５４】
割引率判定部４０４は、記憶部４１０に記憶されている計量情報記録データのうち所定の期間内に所定の排出者１４０によって排出された廃棄物１５２に関する計量情報記録データと、あらかじめ記憶部４１０に記憶されている割引率および割引率の判定基準の設定情報（以下、「判定基準情報」という）とに基づいて、廃棄物１５２の処分料金の割引率を判定する。たとえば先月に排出された廃棄物１５２の総重量よりも、今月に排出された廃棄物１５２の総重量の方が少ないと計量情報記録データに示されている場合には、割引率判定部４０４は、判定基準情報に基づいて、廃棄物１５２の処分料金が割引される割引率を判定する。
【００５５】
また、たとえば先月に排出された廃棄物１５２の総重量よりも、今月に排出された廃棄物１５２の総重量の方が多いと計量情報記録データに示されている場合には、割引率判定部４０４は、判定基準情報に基づいて、廃棄物１５２の処分料金が割増される割引率を判定する。
【００５６】
なお、割引率判定部４０４は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。また、記憶部４１０に記憶された判定基準情報の一例については図５を用いて後述する。
【００５７】
算出部４０５は、記憶部４１０に記憶されている計量情報記録データのうち所定の期間内に所定の排出者１４０によって排出された廃棄物１５２に関する計量情報記録データと、割引率判定部４０４によって判定された割引率とに基づいて、廃棄物１５２の処分料金を算出する。算出部４０５は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００５８】
分析部４０６は、記憶部４１０に記憶されている計量情報記録データのうち所定の期間内に所定の排出者１４０によって排出された廃棄物１５２に関する計量情報記録データと、あらかじめ記憶部４１０に記憶されている分析基準の設定情報（以下、「分析基準情報」という）とに基づいて、廃棄物１５２の排出量に関する分析をおこなう。分析部４０６は、たとえば廃棄物１５２の排出量の傾向などの分析をおこなう。また分析部４０６は、たとえば分析された結果に関する情報に対応する、アドバイスに関する情報を分析基準情報から抽出する。
【００５９】
なお、分析部４０６は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。また、記憶部４１０に記憶された分析基準情報の一例については図６を用いて後述する。
【００６０】
順位判定部４０７は、記憶部４１０に記憶されている計量情報記録データに基づいて、廃棄物１５２の排出量に関する順位付けをおこなう。順位判定部４０７は、たとえば廃棄物１５２の排出量による順位付け、廃棄物１５２の排出量の削減量による順位付けなどをおこなう。
【００６１】
また、順位判定部４０７は、たとえば地域ごと、廃棄物収集場１１２ごとの順位付けをおこなう。順位判定部４０７は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００６２】
送信部４０８は、廃棄物１５２の排出量に基づいた各種情報を排出者１４０が保有する情報端末１６０（たとえば携帯電話など）に対して送信する。ここで、廃棄物１５２の排出量に基づいた各種情報には、算出部４０５によって算出された処分料金に関する情報と、順位判定部４０７によって判定された順位に関する情報と、分析部４０６によって分析された結果に関する情報とが含まれる。送信部４０８は、具体的には、たとえば図３に示したＩ／Ｆ３０９によってその機能を実現する。
【００６３】
記憶部４１０は、記録部４０３によって記録された計量情報記録データを記憶する。また、記憶部４１０は、あらかじめ設定された判定基準情報を記憶する。また、記憶部４１０は、あらかじめ設定された分析基準情報を記憶する。記憶部４１０は、具体的には、たとえば図３に示したＲＯＭ３０２、ＲＡＭ３０３、ＨＤ３０５、ＦＤ３０７によってその機能を実現する。
【００６４】
（判定基準情報の一例）
つぎに、記憶部４１０に記憶された判定基準情報の一例について説明する。図５は、記憶部４１０に記憶された判定基準情報の一例を示す説明図である。図５において、判定基準情報が設定された表５００は、「変化量」と、「割引率」とによって構成されている。「変化量」には、今月に排出された廃棄物１５２の総重量から、先月に排出された廃棄物１５２の総重量を減算した結果の重量の範囲が設定されている。また「割引率」には「変化量」に設定されている重量の範囲に対応する割引率が設定されている。
【００６５】
この割引率設定表５００は、あらかじめ値が設定され、たとえば図３に示したＲＯＭ３０２、ＲＡＭ３０３、ＨＤ３０５、ＦＤ３０７に記憶されている。そして、廃棄物１５２の処分料金の割引率の判定に利用されるために、割引率判定部４０４によって上記記録媒体から読み取られる。
【００６６】
図５において、たとえば今月に排出された廃棄物１５２の総重量から、先月に排出された廃棄物１５２の総重量を減算した結果の重量が「−３０Ｋｇ」である場合、「変化量」が「−５０ｋｇ〜−２５Ｋｇ」に対応する「割引率」として「−１０％」（１０％割引を意味する）が、割引率判定部４０４によって判定されることが示されている。
【００６７】
また、たとえば今月に排出された廃棄物１５２の総重量から、先月に排出された廃棄物１５２の総重量を減算した結果の重量が「＋６０Ｋｇ」である場合、「変化量」が「５０ｋｇ〜」に対応する「割引率」として「＋２０％」（２０％割増を意味する）が、割引率判定部４０４によって判定されることが示されている。
【００６８】
（分析基準情報の一例）
つぎに、記憶部４１０に記憶された分析基準情報の一例について説明する。図６は、記憶部４１０に記憶された分析基準情報の一例を示す説明図である。図６において、分析基準情報が設定された表６００は、「種別」と、「排出量」と、「傾向」と、「アドバイス」とによって構成されている。「種別」には、排出量の分析の対象となる廃棄物１５２の種類が設定されている。また「排出量」には、今月に排出された廃棄物１５２の総排出量の範囲が設定されている。
【００６９】
また、「傾向」には、「種別」と「排出量」との組み合わせに対応する、廃棄物１５２の排出量の傾向の分析結果を示すメッセージが設定されている。また「アドバイス」には、「傾向」に設定された廃棄物１５２の排出量の傾向の分析結果に対応するアドバイスを示すメッセージが設定されている
【００７０】
図６において、たとえば今月に排出された廃棄物１５２のうち「不燃廃棄物」の総重量が「３５Ｋｇ」である場合、割引率判定部４０４は、「排出量」が「２５ｋｇ〜５０Ｋｇ」に対応する「傾向」として「不燃廃棄物の排出量が多いようです。がんばって廃棄物を減らしましょう。」を取得することが示されている。
【００７１】
また、たとえば今月に排出された廃棄物１５２のうち「不燃廃棄物」の総重量が「３５Ｋｇ」である場合、割引率判定部４０４は、「排出量」が「２５ｋｇ〜５０Ｋｇ」に対応する「アドバイス」として「びんやカンの容器の飲料は廃棄物重量が増加するもと。紙容器のものを購入するようにこころがけてはどうでしょう。」を取得することが示されている。
【００７２】
（計量情報記録データの一例）
つぎに、記憶部４１０に記憶された計量情報記録データの一例について説明する。図７は、記憶部４１０に記憶された計量情報記録データの一例を示す説明図である。
【００７３】
図７において、記憶部４１０に記憶されたデータは、「排出者ＩＤ」と、「氏名」と、「メールアドレス」と、「収集日」と、「収集時間」と、「収集場所」と、「廃棄物容器ＩＤ」と、「種別」と、「重量」と、によって構成されている。
【００７４】
記憶部４１０に記憶されるデータのうち「排出者ＩＤ」、「氏名」、「メールアドレス」、「収集日」、「収集時間」、「収集場所」、「廃棄物容器ＩＤ」、「種別」には廃棄物容器１５１に貼付されたＲＦＩＤタグ１５３から読み取られた値が設定される。また、記憶部４１０に記憶されるデータのうち「重量」は、計量装置１２２によって計量された廃棄物１５２の重量が設定される。
【００７５】
たとえば、「排出者ＩＤ」には、排出者１４０を特定するためのＩＤが設定される。また「氏名」には、排出者１４０の氏名が設定される。また「メールアドレス」には、たとえば排出者１４０に対して計量情報や廃棄物１５２の排出量に基づいた各種情報を電子メールによって送信する場合の送信先メールアドレスが設定される。
【００７６】
また「収集日」、「収集時間」には、廃棄物１５２を収集したときの収集日時（たとえば計量装置１２２によって廃棄物１５２の重量が計量された時刻）が設定される。また「収集場所」には、廃棄物１５２の収集場所が設定される。また「廃棄物容器ＩＤ」には廃棄物容器１５１を特定するためのＩＤが設定される。また「種別」には廃棄物１５２の種別が設定される。
【００７７】
（廃棄物情報のデータ構成）
つぎに、ＲＦＩＤタグ１５３に記録された廃棄物情報の一例について説明する。図８は、ＲＦＩＤタグ１５３に記録された廃棄物情報の一例を示す説明図である。
【００７８】
図８において、廃棄物情報は、「排出者ＩＤ」と、「氏名」と、「メールアドレス」と、「収集場所」と、「廃棄物容器ＩＤ」と、「種別」と、によって構成されている。これらの廃棄物情報は、あらかじめ自治体１１０によってＲＦＩＤタグ１５３に記録される。「排出者ＩＤ」には排出者１４０を特定するためのＩＤが設定される。
【００７９】
たとえば、「氏名」には、排出者１４０の氏名が設定される。また「メールアドレス」には、たとえば排出者１４０に対して計量情報や廃棄物１５２の排出量に基づいた各種情報を電子メールによって送信する場合の送信先メールアドレスが設定される。また「収集場所」には、廃棄物１５２の収集場所が設定される。また「廃棄物容器ＩＤ」には廃棄物容器１５１を特定するためのＩＤが設定される。また「種別」には廃棄物１５２の種別が設定される。
【００８０】
（廃棄物収集管理装置１２０による廃棄物情報収集処理の手順）
つぎに、廃棄物収集管理装置１２０による廃棄物収集管理処理の手順について説明する。図９は、この発明の本実施の形態にかかる廃棄物収集管理装置１２０による廃棄物情報収集処理の手順を示すフローチャートである。
【００８１】
まず、取得部４０２によって、廃棄物容器１５１に貼付されたＲＦＩＤタグ１５３から廃棄物情報（たとえば廃棄物容器１５１のＩＤ、排出者１４０の氏名、廃棄物１５２の種別など）を取得する（ステップＳ９０１）。ここで取得部４０２は、Ｒ／Ｗ１２３により、廃棄物容器１５１に貼付されているＲＦＩＤタグ１５３が読み取られることによって廃棄物情報を取得することができる。
【００８２】
つぎに、計量部４０１によって、廃棄物１５２の重量を計量して、計量情報を生成する（ステップＳ９０２）。ここで計量部４０１は、計量装置１２２により、計量装置１２２上に載置された廃棄物１５２が格納されている廃棄物容器１５１の重量を計量した後に、計量された重量からあらかじめ設定された廃棄物容器１５１そのものの重量を減算することによって、廃棄物１５２の重量を得ることができる。なお、Ｒ／Ｗ１２３によるＲＦＩＤタグ１５３の読み取り作業および計量装置１２２による廃棄物１５２の重量の計量作業を含む廃棄物１５２の収集作業の一例については図１０を用いて後述する。
【００８３】
そして、記録部４０３によって、計量情報記録データを記憶部４１０に記録して（ステップＳ９０３）、一連の処理を終了する。ここで、計量情報記録データは、記録部４０３によって、ステップＳ９０２で生成された計量情報と、ステップＳ９０１で取得された廃棄物情報とを関連付けすることによって生成されたものである。なお、記憶部４１０に記録された計量情報記録データの一例については図１１を用いて後述する。
【００８４】
（廃棄物１５２の収集作業の一例）
つぎに、Ｒ／Ｗ１２３によるＲＦＩＤタグ１５３の読み取り作業および計量装置１２２による廃棄物１５２の重量の計量作業を含む廃棄物１５２の収集作業の一例について説明する。図１０は、Ｒ／Ｗ１２３によるＲＦＩＤタグ１５３の読み取り作業および計量装置１２２による廃棄物１５２の重量の計量作業を含む廃棄物１５２の収集作業の一例を示す説明図である。
【００８５】
図１０において、作業員１１１によって、廃棄物収集場１１２に廃棄された廃棄物容器１５１が廃棄物収集車１３０の廃棄物投入口付近に設けられた計量装置１２２上に載置されている。また廃棄物収集車１３０の廃棄物投入口付近であって、計量装置１２２上に載置された廃棄物容器１５１の上方向には、Ｒ／Ｗ１２３が設けられている。
【００８６】
ここで、Ｒ／Ｗ１２３は常にＲＦＩＤタグ１５３を検出するように待機しており、上述したように廃棄物容器１５１が廃棄物収集車１３０の廃棄物投入口付近（すなわち、Ｒ／Ｗ１２３によるＲＦＩＤタグ１５３の読み取り範囲内）に載置されたことにより、Ｒ／Ｗ１２３によってＲＦＩＤタグ１５３が検出され、廃棄物容器１５１の上面に貼付されたＲＦＩＤタグ１５３から廃棄物情報が読み取られる。
【００８７】
そして、Ｒ／Ｗ１２３によってＲＦＩＤタグ１５３から読み取られた廃棄物情報（たとえば廃棄物容器１５１のＩＤ、排出者１４０の氏名、廃棄物１５２の種別など）が、Ｒ／Ｗ１２３から、たとえば通信ケーブルや無線通信によって接続されたネットワーク２０１を介してサーバ１２１に対して送信される。
【００８８】
また、計量装置１２２は廃棄物容器１５１の載置を検出するように待機しており、上述したように廃棄物容器１５１が計量装置１２２上に載置されたことにより、計量装置１２２によって廃棄物容器１５１の載置が検出され、廃棄物容器１５１に格納されている廃棄物１５２の重量が計量される。
【００８９】
そして、計量装置１２２によって計量された計量情報が、計量装置１２２から、たとえば通信ケーブルや無線通信によって接続されたネットワーク２０１を介してサーバ１２１に対して送信される。
【００９０】
このように、たとえば作業員１１１は、手間のかかる別の作業をおこなうことなく、廃棄物容器１５１を廃棄物収集車１３０の廃棄物投入口付近に載置するだけといった簡単な作業によって、廃棄物容器１５１に貼付されたＲＦＩＤタグ１５３に記録されている廃棄物情報および計量情報をサーバ１２１に対して送信することができる。そのため、たとえば作業員１１１は、ＲＦＩＤタグ１５３の読み取り作業および廃棄物１５２の重量の計量作業を含む廃棄物１５２の収集作業を効率的かつ確実におこなうことができる。
【００９１】
（記憶部４１０に記録された計量情報記録データの一例）
つぎに、記憶部４１０に記録された計量情報記録データの一例について説明する。図１１は、記憶部４１０に記録された計量情報記録データの一例を示す説明図である。
【００９２】
図１１において、記憶部４１０に記録された計量情報記録データは、廃棄物情報収集処理（図９参照）がおこなわれたことによって、図７に示した同データに対して、さらに、記録部４０３によって計量情報記録データがさらに記録されている点が、図７に示した同データと異なる。
【００９３】
図１１において、記憶部４１０にさらに記録されたデータは、排出者ＩＤ「ＩＤ０００１」を有する排出者１４０「総研太郎」によって排出された排出物１５２に関する計量情報であって、計量装置１２２によって計量された重量が「２５Ｋｇ」であることを示している。このように、記憶部４１０に記憶された計量情報記録データには、廃棄物１５２の収集がおこなわれる度に、記録部４０３によって計量情報記録データが記録される。
【００９４】
また、記憶部４１０に記憶された計量情報記録データは、たとえば、割引率判定部４０４によって読み取られ、廃棄物１５２の処分料金の割引率の判定をおこなう際に利用される。また、たとえば、算出部４０５によって読み取られ、廃棄物１５２の処分料金の算出をおこなう際に利用される。また、たとえば、分析部４０６によって読み取られ、廃棄物１５２の排出量に関する分析をおこなう際に利用される。また、たとえば、順位判定部４０７によって読み取られ、廃棄物１５２の排出量に関する順位付けをおこなう際に利用される。
【００９５】
（廃棄物収集管理装置１２０による廃棄物情報送信処理の手順）
つぎに、廃棄物収集管理装置１２０によって定期的（たとえば１ヶ月ごと）におこなわれる廃棄物情報送信処理の手順について説明する。図１２は、この発明の本実施の形態にかかる廃棄物収集管理装置１２０による廃棄物情報送信処理の手順を示すフローチャートである。
【００９６】
まず、割引率判定部４０４によって、廃棄物１５２の処分料金の割引率を判定する（ステップＳ１２０１）。ここで割引率判定部４０４は、記憶部４１０に記憶されている計量情報記録データのうち所定の期間内に所定の排出者１４０によって排出された廃棄物１５２に関する計量情報記録データと、判定基準情報とに基づいて、廃棄物１５２の処分料金の割引率を判定する。
【００９７】
つぎに、算出部４０５によって、廃棄物１５２の処分料金を算出する（ステップＳ１２０２）。ここで、算出部４０５は、記憶部４１０に記憶されている計量情報記録データのうち所定の期間内に所定の排出者１４０によって排出された廃棄物１５２に関する計量情報記録データと、ステップＳ１２０１で判定された割引率とに基づいて、廃棄物１５２の処分料金を算出する。
【００９８】
つぎに、順位判定部４０７によって、廃棄物１５２の排出量に関する順位付けをおこなう（ステップＳ１２０３）。ここで、順位判定部４０７は、記憶部４１０に記憶されている計量情報記録データに基づいて、廃棄物１５２の排出量に関する順位付けをおこなう。
【００９９】
つぎに、分析部４０６によって、廃棄物１５２の排出量に関する分析をおこなう（ステップＳ１２０４）。ここで、分析部４０６は、記憶部４１０に記憶されている計量情報記録データのうち所定の期間内に所定の排出者１４０によって排出された廃棄物１５２に関する計量情報記録データと、あらかじめ記憶部４１０に記憶されている分析基準情報とに基づいて、廃棄物１５２の排出量に関する分析をおこなう。
【０１００】
そして、送信部４０８によって、廃棄物１５２の排出量に基づいた各種情報を排出者１４０が保有する情報端末１６０（たとえば携帯電話など）に対して送信して（ステップＳ１２０５）、一連の処理を終了する。ここで、廃棄物１５２の排出量に基づいた各種情報には、ステップＳ１２０２で算出された処分料金に関する情報と、ステップＳ１２０３で判定された順位に関する情報と、ステップＳ１２０４で分析された結果に関する情報とが含まれる。
【０１０１】
このように廃棄物収集管理装置１２０によって送信された廃棄物１５２の排出量に基づいた各種情報を受信した排出者１４０が保有する情報端末１６０においては、廃棄物１５２の排出量に基づいた各種情報が出力される。なお、情報端末１６０の画面上に出力された廃棄物１５２の排出量に基づいた各種情報の一例については図１３〜図１６を用いて後述する。
【０１０２】
（情報端末１６０の画面上に出力された廃棄物１５２の排出量に基づいた各種情報の一例）
つぎに、排出者１４０が保有する情報端末１６０の画面上に出力された廃棄物１５２の排出量に基づいた各種情報の一例について説明する。図１３〜図１６は、排出者１４０が保有する情報端末１６０の画面上に出力された廃棄物１５２の排出量に基づいた各種情報の一例を示す説明図である。図１３〜図１６において、画面１３０１は排出者１４０が保有する情報端末１６０に表示された画面であり、廃棄物収集管理装置１２０から電子メールによって自動送信された廃棄物１５２の排出量に基づいた各種情報が表示されている。
【０１０３】
図１３において、たとえば画面１３０１には、算出部４０５によって算出された廃棄物１５２の処分料金を通知する旨の電子メールが表示されている。また、図１４において、たとえば画面１３０１には、割引率判定部４０４によって判定された廃棄物１５２の処分料金の割引率を含む、廃棄物１５２の処分料金の明細を通知する旨の電子メールが表示されている。
【０１０４】
また、図１５において、たとえば画面１３０１には、順位判定部４０７によって判定された廃棄物１５２の排出量に関する順位を通知する旨の電子メールが表示されている。また、図１６において、たとえば画面１３０１には、分析部４０６によっておこなわれた廃棄物１５２の排出量に関する分析の分析結果を通知する旨の電子メールが表示されている。
【０１０５】
このように情報端末１６０の画面上に、廃棄物１５２の排出量に基づいた各種情報が出力されることによって、排出者１４０は、自ら排出した廃棄物１５２の排出量や、廃棄物１５２の排出量に基づいた各種情報の内容を把握することができる。
【０１０６】
以上説明したように、本実施の形態によれば、廃棄物容器１５１を廃棄物収集車１３０の廃棄物投入口付近に載置させるだけといった簡単な作業を作業員１１１におこなわせることによって、計量情報（廃棄物１５２の重量に関する情報）を取得して、記憶部４１０に記録することができる。そのため、より簡単な作業により計量情報の収集・管理を効率的かつ確実におこなうことができる。
【０１０７】
また、本実施の形態によれば、人手による作業を介すことなく、廃棄物収集管理装置１２０によって、廃棄物１５２の排出量に基づいた各種情報を排出者１４０が保有する情報端末１６０に送信することができる。そのため、排出者１４０によって排出された廃棄物１５２の排出量や、廃棄物１５２の排出量に基づいた各種情報の内容を、効率的かつ確実に排出者１４０に対して通知することができる。
【０１０８】
また、定期的に、廃棄物１５２の排出量に基づいた各種情報の内容を排出者１４０に対して通知することによって、排出者１４０に対して廃棄物１５２の削減を積極的にうながし、排出者１４０によって廃棄される廃棄物の排出量の圧縮化を図ることができる。
【０１０９】
また、本実施の形態によれば、ＲＦＩＤタグ１５３は、廃棄物容器１５２に設けられており、廃棄物１５２が収集された後に、廃棄物容器１５２とともに排出者１４０に返却される。そのため、ＩＤタグ１５３を排出者１４０に繰り返し配布することなく、ＩＤタグ１５３の利用に伴うコスト（たとえば回収費用、購入費用、管理費用、配布費用など）を削減することができる。
【０１１０】
なお、本実施の形態においては、一例として計量情報記録データを記憶部４１０に記録する廃棄物収集管理装置１２０を用いたが、たとえば計量情報記録データをＲ／Ｗ１２３によって、廃棄物容器１５１に貼付されたＲＦＩＤタグ１５３に記録するようにしてもよい。
【０１１１】
これによって、たとえばネットワーク２０１に接続されておらず廃棄物収集管理装置１２０との通信をおこなうことができない情報処理装置であっても、ＲＦＩＤタグ１５３から計量情報記録データを取得して、取得した計量情報記録データに基づいた各種処理をおこなうことができる。
【０１１２】
また、記憶部４１０に格納されるデータ量を圧縮することができるため、記憶部４１０の機能を実現するＲＯＭ３０２、ＲＡＭ３０３、ＨＤ３０５、ＦＤ３０７などの記録媒体を小型化することができ、たとえば廃棄物収集管理システム１２０の構築費用や、廃棄物収集管理システム１２０の維持管理費用などを圧縮することができる。
【０１１３】
なお、本実施の形態で説明した廃棄物収集管理方法は、あらかじめ用意されたプログラムをパーソナル・コンピュータやワークステーションなどの廃棄物収集管理装置で実行することにより実現することができる。このプログラムは、ＲＡＭ、ハードディスク、フレキシブルディスク、ＣＤ−ＲＯＭ、ＭＯ、ＤＶＤなどのコンピュータで読み取り可能な記録媒体に記憶され、コンピュータによって記録媒体から読み出されることによって実行される。またこのプログラムは、インターネットなどのネットワークを介して配布することが可能な伝送媒体であってもよい。
【産業上の利用可能性】
【０１１４】
以上のように、本発明にかかる廃棄物収集管理装置、廃棄物収集管理方法、および廃棄物収集管理プログラムは、自治体などによる廃棄物収集業務に利用可能であり、例えば、排出者によって廃棄される廃棄物の排出量の圧縮化に適している。
【図面の簡単な説明】
【０１１５】
【図１】この発明の本実施の形態にかかる廃棄物収集管理装置、廃棄物収集管理方法、および廃棄物収集管理プログラムの概要を示す説明図である。
【図２】この発明の本実施の形態にかかる廃棄物収集管理装置を含む全体システムの構成を示す説明図である。
【図３】廃棄物収集管理装置のハードウェア構成の一例を示すブロック図である。
【図４】この発明の本実施の形態にかかる廃棄物収集管理装置の機能的構成の一例を示すブロック図である。
【図５】記憶部に記憶された判定基準情報の一例を示す説明図である。
【図６】記憶部に記憶された分析基準情報の一例を示す説明図である。
【図７】記憶部に記憶された計量情報記録データの一例を示す説明図である。
【図８】ＲＦＩＤタグに記録された廃棄物情報の一例を示す説明図である
【図９】この発明の本実施の形態にかかる廃棄物収集管理装置による廃棄物収集管理処理の手順を示すフローチャートである。
【図１０】Ｒ／ＷによるＲＦＩＤタグの読み取り作業および計量装置による廃棄物の重量の計量作業を含む廃棄物の収集作業の一例を示す説明図である。
【図１１】記憶部に記録された計量情報記録データの一例を示す説明図である。
【図１２】この発明の本実施の形態にかかる廃棄物収集管理装置１２０による廃棄物情報送信処理の手順を示すフローチャートである。
【図１３】排出者が保有する情報端末の画面上に出力された廃棄物１５２の排出量に基づいた各種情報の一例を示す説明図である。
【図１４】排出者が保有する情報端末の画面上に出力された廃棄物１５２の排出量に基づいた各種情報の一例を示す説明図である。
【図１５】排出者が保有する情報端末の画面上に出力された廃棄物１５２の排出量に基づいた各種情報の一例を示す説明図である。
【図１６】排出者が保有する情報端末の画面上に出力された廃棄物１５２の排出量に基づいた各種情報の一例を示す説明図である。
【符号の説明】
【０１１６】
１１０  自治体
１１１  作業員
１２０  廃棄物収集管理装置
１２１  サーバ
１２２  計量装置
１２３  ＲＦＩＤタグリーダ／ライタ
１３０  廃棄物収集車
１４０  排出者
１５０  廃棄物
１５１  廃棄物容器
１５２  廃棄物
１５３  ＲＦＩＤタグ
１６０  情報端末
２００  廃棄物収集管理システム
２０１  ネットワーク
４０１  計量部
４０２  取得部
４０３  記録部
４０４  割引率判定部
４０５  算出部
４０６  分析部
４０７  順位判定部
４０８  送信部
４１０  記憶部
【図１】
2008041055.tif 000003
【図２】
2008041055.tif 000004
【図３】
2008041055.tif 000005
【図４】
2008041055.tif 000006
【図５】
2008041055.tif 000007
【図６】
2008041055.tif 000008
【図７】
2008041055.tif 000009
【図８】
2008041055.tif 000010
【図９】
2008041055.tif 000011
【図１０】
2008041055.tif 000012
【図１１】
2008041055.tif 000013
【図１２】
2008041055.tif 000014
【図１３】
2008041055.tif 000015
【図１４】
2008041055.tif 000016
【図１５】
2008041055.tif 000017
【図１６】
2008041055.tif 000018